(57)【要約】      （修正有）【課題】石突が地面又は床に触れても滑らずに置くことのできる傘を提供する。【解決手段】石突が地面又は床に触れる傘において、該石突の先端部分に滑り止め部材が設けられているため、石突が地面又は床に触れて滑る際に、滑り止め部材のグリップ力によって滑る事が無くなり、特に壁のコーナー部等に傘を立てかけて置く場合に、石突の先端部に設けられた滑り止め部材によって、傘が地面又は床に倒れることのない傘となる。【選択図】図１
0003158366.tif 000002
【実用新案登録請求の範囲】
【請求項１】
石突（２）が地面又は床（９）に触れる傘（１）において、該石突（２）の先端部分に滑り止め部材（４）が設けていることを特徴とする傘（１）。
【請求項２】
滑り止め部材（４）が天然ゴム、合成ゴム又はエラストマー樹脂からなり、キャップ式で石突（２）に、はめ込んで構成されることを特徴とする請求項１に記載の傘（１）。
【請求項３】
滑り止め部材（４）の滑り止め先端部（５）が厚肉形成されていることを特徴とする請求項１に記載の傘（１）。
【請求項４】
滑り止め部材（４）の滑り止め先端部（５ａ）が、はめ込み部（６）において嵌合して形成されていることを特徴とする請求項１に記載の傘（１）。
【請求項５】
滑り止め部材（４）の滑り止め先端部（５ｂ）が、接着剤層（７）において接着して形成されることを特徴とする請求項１に記載の傘（１）。
【請求項６】
滑り止め部材（４）が、石突（２）の長さに応じて伸縮する蛇腹形状（１０）として形成されることを特徴とする請求項１に記載の傘（１）。
【考案の詳細な説明】
【技術分野】
【０００１】  本考案は、傘に関し、石突が地面又は床に触れても滑らずに置くことのできる傘に関する。
【背景技術】
【０００２】  従来、折りたたみ傘以外の石突が地面又は床に触れるタイプの雨傘や日傘などは傘立てに置いて保管していた。【０００３】  一方で傘の柄の部分をテーブルや壁などの出っ張り部分に引っ掛けても、少しの振動で滑って傘が床に落ちるため、傘の柄の先端部分にゴム素材等で出来たキャップをはめ込んで、テーブル等に引っ掛ける用具が提案されている。
【先行技術文献】
【特許文献】
【０００４】
【特許文献１】実用新案登録第３１４５３９２号公報
【考案の概念】
【考案が解決しようとする課題】
【０００５】  しかしながら傘の柄の先端部に滑り止め用のキャップ等をはめ込んでテーブルなどに引っ掛けても、石突が地面又は床に触れている場合は、テーブルに置いた柄の先端部の滑り止め部を中心として石突が滑るため傘を確実に滑らないように係止出来なかった。
【０００６】  又、壁のコーナー部等に傘を立てかけて置く場合は、柄の先端部に滑り止めキャップが有ってもその機能を発揮出来ないため、石突が滑ることとなり傘が床に倒れてしまう欠点があった。又、お年寄り等が傘を杖代わりとして使用する場合は危険であった。
【問題を解決するための手段】
【０００７】  上記課題を解決するために本考案は、石突（２）が地面又は床に触れる傘（１）において、該石突（２）の先端部分に滑り止め部材（４）を設けておく。  本考案は以外のような構成からなる傘（１）である。
【考案の効果】
【０００８】  本考案の傘は以上のような構成であるため石突の先端部に設けられた滑り止め部材によって、石突が地面又は床に触れて滑る際にもその滑り止め部材のグリップ力によって滑る事が無くなる。
【０００９】  又、柄の先端に滑り止め用キャップ等で滑り止めを施した傘であっても壁のコーナー部等に傘を立てかけて置く場合のようにその機能が発揮出来ない際にも、石突の先端部に設けられた滑り止め部材によって傘が床に倒れることのない優れたものとなる。もちろん杖代わりとして使用しても滑らない安全なものとなる。
【図面の簡単な説明】
【００１０】
【図１】本考案の一実施例を示す斜視図である。
【図２】本考案の一実施例を断面図である。
【図３】本考案の一実施例を断面図である。
【図４】本考案の一実施例を断面図である。
【図５】本考案の一実施例を断面図である。
【考案を実施するための形態】
【００１１】  本考案における傘の大きさ、デザイン、材質、製造方法等は特に限定される事はない。石突の先端部分に設けられる滑り止め部材の形状、材質、製造方法等も特に限定される事はないが、滑り止め部材が天然ゴム、合成ゴム又はエラストマー樹脂からなり、キャップ式で石突にはめ込んで構成されることが好ましい。この場合、石突の素材やデザイン更には径の大きさなどに合わせて使用者自らが取り替えられるものが好ましい。
【００１２】  なお、滑り止め部材の滑り止め先端部が耐摩耗性を有するように厚肉形成されていても良い。
【００１３】  又は、滑り止め先端部が別の部材として製作しておき、はめ込み部において嵌合して形成されていても良い。
【００１４】  もちろん、滑り止め先端部を別の部材として製作しておき、接着剤層において接着して形成しても良い。
【００１５】  特にこれら先端部を別の部材として製作しておけば、グリップ力が低下したり、摩耗した際に簡単に交換することが出来る傘となる。
【００１６】  又、滑り止め部材が、石突の長さに応じて伸縮する蛇腹形状として形成しておいても良い。  以下、実施例と図に基づき説明する。
【実施例】
【００１７】  以下、本考案の一実施例を図１、図２、図３、図４及び図５で説明するが、これによって本考案は何ら限定されるものではない。【００１８】  図１は、本考案の一例の斜視図である。石突（２）が地面又は床（９）に触れる傘（１）において、該石突（２）の先端部分に滑り止め部材（４）が設けており、傘（１）の滑り止め部材（４）が地面又は床（９）についた状態で壁（８）のコーナー部に立てかけて置いた状態を示している。この滑り止め部材（４）のグリップ力によって、石突（２）が滑って傘（１）が地面又は床（９）に倒れることがないものとなる。【００１９】  図２は、滑り止め部材（４）の断面図を示しており、滑り止め先端部（５）が厚肉形成されていることがわかる。【００２０】  図３も滑り止め部材（４）の別の態様の断面図を示しており、滑り止め先端部（５ａ）が、はめ込み部（６）において嵌合して形成されている。【００２１】  図４も同じく滑り止め部材（４）の別の態様の断面図であり、滑り止め先端部（５ｂ）が、接着剤層（７）において接着して形成されていることを示している。【００２２】  図５は、石突（２）の長さに応じて伸縮する蛇腹形状（１０）として形成されていることを示している。
【産業の利用の可能性】
【００２３】  石突の先端部に設けられた滑り止め部材によって、石突が地面又は床に触れて滑る際に滑り止め部材のグリップ力によって滑る事が無くなる。
【００２４】  更に、柄の先端に滑り止め用キャップ等で滑り止めを施した傘であっても壁のコーナー部等に傘を立てかけて置く場合のような際にも石突の先端部に設けられた滑り止め部材によって、傘が地面又は床に倒れることがないものとなる。
【００２５】  又、この滑り止め部材自体が蓄光素材や夜光塗料素材として形成しておけば、夜間でも安全に使用出来る傘とする副次的効果もある。
【００２６】  更にキャップとして石突と傘の陣笠部の根元まで深くかぶせるように形成しておけば、傘の雨漏りを防ぐ効果もある。
【符号の説明】
【００２７】  １  傘      ２  石突      ３  柄      ４  滑り止め部材  ５，５ａ，５ｂ  滑り止め先端部    ６  はめ込み部      ７  接着剤層  ８  壁      ９  地面又は床      １０  蛇腹形状
【図１】
0003158366.tif 000003
【図２】
0003158366.tif 000004
【図３】
0003158366.tif 000005
【図４】
0003158366.tif 000006
【図５】
0003158366.tif 000007